【手続補正書】
【提出日】平成20年5月28日(2008.5.28)
【手続補正１】
【補正対象書類名】明細書
【補正対象項目名】発明の名称
【補正方法】変更
【補正の内容】
【発明の名称】遊技用システムおよび管理装置
【手続補正２】
【補正対象書類名】明細書
【補正対象項目名】特許請求の範囲
【補正方法】変更
【補正の内容】
【特許請求の範囲】
【請求項１】
遊技者を個々に特定可能な遊技者特定情報に対応付けて該遊技者に関する遊技者関連情報が記憶された遊技者関連情報記憶手段と、催事対象者となる条件を含む催事関連情報を設定するための催事関連情報設定手段と、少なくとも該催事関連情報設定手段にて設定された催事関連情報および各催事における催事対象者の来店状況情報を各催事毎に記憶する催事情報記憶手段と、を有する管理装置と、
遊技機に対応して設けられ、前記遊技者特定情報が記録された記録媒体を受付けて該遊技者特定情報の読み出しを行う読み出し手段と、該読み出し手段により読み出された前記遊技者特定情報を前記管理装置に送信する送信手段とを備える遊技用装置と、
から成る遊技用システムにおいて、
前記管理装置は、
前記送信手段から送信されてきた前記遊技者特定情報と前記遊技者関連情報記憶手段の記憶情報に基づいて、該遊技者が前記催事情報記憶手段に記憶されている催事対象条件を満たしている催事を特定する対象催事特定手段と、
該対象催事特定手段にて特定した催事の来店状況情報を集計する来店状況情報集計手段と、
該来店状況情報集計手段による集計結果に基づいて、前記催事情報記憶手段に記憶されている当該催事の来店状況情報を更新する来店状況情報更新手段と、
前記催事関連情報に関する抽出条件を受付けるための抽出条件受付け手段と、
該抽出条件受付け手段にて受付けた抽出条件に合致する催事を前記催事情報記憶手段に記憶されている各催事から抽出する抽出手段と、
前記催事情報記憶手段に記憶されている該抽出手段にて抽出した催事の来店状況情報を出力する出力手段と、
を備えることを特徴とする遊技用システム。
【請求項２】
前記催事情報記憶手段は、各催事における催事対象者への特典付与状況情報を各催事毎に記憶し、
前記管理装置は、
前記対象催事特定手段にて特定した催事の特典が、当該催事の対象者に付与されたか否か判定する特典付与判定手段と、
該特典付与判定手段の判定結果に基づいて、各催事における特典付与状況情報を各催事毎に集計する特典付与状況情報集計手段と、
該特典付与状況情報集計手段による集計結果に基づいて、前記催事情報記憶手段に記憶されている当該催事の特典付与状況情報を更新する特典付与状況情報更新手段と、
を備え、
前記出力手段は、前記催事情報記憶手段に記憶されている前記抽出手段にて抽出した催事の特典付与状況情報を出力する請求項１に記載の遊技用システム。
【請求項３】
前記来店状況情報集計手段並びに特典付与状況情報集計手段は、前記来店状況情報並びに特典付与状況情報を、前記遊技者特定情報を送信してきた遊技用装置が対応する遊技機の機種毎に集計し、前記催事情報記憶手段は、前記来店状況情報および特典付与状況情報を前記遊技機の機種毎に記憶する請求項２に記載の遊技用システム。
【請求項４】
前記来店状況情報集計手段並びに特典付与状況情報集計手段は、前記来店状況情報並びに特典付与状況情報を所定の時間帯別に集計し、前記催事情報記憶手段は、前記来店状況情報および特典付与状況情報を前記所定の時間帯毎に記憶する請求項２または３に記載の遊技用システム。
【請求項５】
前記管理装置は、前記送信手段から送信されてきた前記遊技者特定情報に基づいて、該遊技者特定情報に対応する遊技者の同一営業日における来店履歴を記憶するための来店履歴記憶手段を備え、
前記来店状況情報集計手段は、前記送信手段から送信されてきた前記遊技者特定情報に対応する遊技者の来店履歴が、前記来店履歴記憶手段に既に存在するときには、来店状況情報の集計に該遊技者の来店を加えない請求項１〜４のいずれかに記載の遊技用システム。
【請求項６】
遊技機に対応して設けられ、遊技者を個々に特定可能な遊技者特定情報が記録された記録媒体を受付けて該遊技者特定情報の読み出しを行う読み出し手段と、該読み出し手段により読み出された前記遊技者特定情報を前記管理装置に送信する送信手段とを備える遊技用装置とデータ通信可能に接続され、前記遊技者特定情報に対応付けて該遊技者に関する遊技者関連情報が記憶された遊技者関連情報記憶手段と、催事対象者となる条件を含む催事関連情報を設定するための催事関連情報設定手段と、少なくとも該催事関連情報設定手段にて設定された催事関連情報および各催事における催事対象者の来店状況情報を各催事毎に記憶する催事情報記憶手段と、を有する管理装置において、
前記送信手段から送信されてきた前記遊技者特定情報と前記遊技者関連情報記憶手段の記憶情報に基づいて、該遊技者が前記催事情報記憶手段に記憶されている催事対象条件を満たしている催事を特定する対象催事特定手段と、
該対象催事特定手段にて特定した催事の来店状況情報を集計する来店状況情報集計手段と、
該来店状況情報集計手段による集計結果に基づいて、前記催事情報記憶手段に記憶されている当該催事の来店状況情報を更新する来店状況情報更新手段と、
前記催事関連情報に関する抽出条件を受付けるための抽出条件受付け手段と、
該抽出条件受付け手段にて受付けた抽出条件に合致する催事を前記催事情報記憶手段に記憶されている各催事から抽出する抽出手段と、
前記催事情報記憶手段に記憶されている該抽出手段にて抽出した催事の来店状況情報を出力する出力手段と、
を備えることを特徴とする管理装置。
【手続補正３】
【補正対象書類名】明細書
【補正対象項目名】０００５
【補正方法】変更
【補正の内容】
【０００５】
よって、本発明は上記した問題点に着目してなされたもので、新規の催事を検討する場合において有用となる催事効果を、過去に実施した催事の中から簡便に把握することのできる遊技用システムおよび管理装置を提供することを目的としている。
【手続補正４】
【補正対象書類名】明細書
【補正対象項目名】０００６
【補正方法】変更
【補正の内容】
【０００６】
【課題を解決するための手段】
前記した問題を解決するために、本発明の遊技用システムは、遊技者を個々に特定可能な遊技者特定情報に対応付けて該遊技者に関する遊技者関連情報が記憶された遊技者関連情報記憶手段と、催事対象者となる条件を含む催事関連情報を設定するための催事関連情報設定手段と、少なくとも該催事関連情報設定手段にて設定された催事関連情報および各催事における催事対象者の来店状況情報を各催事毎に記憶する催事情報記憶手段と、を有する管理装置と、
遊技機に対応して設けられ、前記遊技者特定情報が記録された記録媒体を受付けて該遊技者特定情報の読み出しを行う読み出し手段と、該読み出し手段により読み出された前記遊技者特定情報を前記管理装置に送信する送信手段とを備える遊技用装置と、
から成る遊技用システムにおいて、
前記管理装置は、
前記送信手段から送信されてきた前記遊技者特定情報と前記遊技者関連情報記憶手段の記憶情報に基づいて、該遊技者が前記催事情報記憶手段に記憶されている催事対象条件を満たしている催事を特定する対象催事特定手段と、
該対象催事特定手段にて特定した催事の来店状況情報を集計する来店状況情報集計手段と、
該来店状況情報集計手段による集計結果に基づいて、前記催事情報記憶手段に記憶されている当該催事の来店状況情報を更新する来店状況情報更新手段と、
前記催事関連情報に関する抽出条件を受付けるための抽出条件受付け手段と、
該抽出条件受付け手段にて受付けた抽出条件に合致する催事を前記催事情報記憶手段に記憶されている各催事から抽出する抽出手段と、
前記催事情報記憶手段に記憶されている該抽出手段にて抽出した催事の来店状況情報を出力する出力手段と、
を備えることを特徴としている。
この特徴によれば、前記抽出条件受付け手段にて抽出条件を指定することで、過去に開催した催事の中から指定した抽出条件に合致する催事が抽出されて、該抽出された催事の来店状況が前記出力手段に出力されるようになるため、新規の催事を検討する上で、有用な情報を簡便に把握することができる。
【手続補正５】
【補正対象書類名】明細書
【補正対象項目名】００１０
【補正方法】変更
【補正の内容】
【００１０】
本発明の遊技用システムの前記管理装置は、前記送信手段から送信されてきた前記遊技者特定情報に基づいて、該遊技者特定情報に対応する遊技者の同一営業日における来店履歴を記憶するための来店履歴記憶手段を備え、
前記来店状況情報集計手段は、前記送信手段から送信されてきた前記遊技者特定情報に対応する遊技者の来店履歴が、前記来店履歴記憶手段に既に存在するときには、来店状況情報の集計に該遊技者の来店を加えないことが好ましい。
このようにすれば、同一の遊技者が、同一営業日に複数回来店した場合であっても、２回目以降の来店においては、来店状況情報の集計に該２回目以降の来店が加算されないようになるため、正確な来店状況情報を集計できる。
本発明の前記管理装置は、遊技機に対応して設けられ、遊技者を個々に特定可能な遊技者特定情報が記録された記録媒体を受付けて該遊技者特定情報の読み出しを行う読み出し手段と、該読み出し手段により読み出された前記遊技者特定情報を前記管理装置に送信する送信手段とを備える遊技用装置とデータ通信可能に接続され、前記遊技者特定情報に対応付けて該遊技者に関する遊技者関連情報が記憶された遊技者関連情報記憶手段と、催事対象者となる条件を含む催事関連情報を設定するための催事関連情報設定手段と、少なくとも該催事関連情報設定手段にて設定された催事関連情報および各催事における催事対象者の来店状況情報を各催事毎に記憶する催事情報記憶手段と、を有する管理装置において、
前記送信手段から送信されてきた前記遊技者特定情報と前記遊技者関連情報記憶手段の記憶情報に基づいて、該遊技者が前記催事情報記憶手段に記憶されている催事対象条件を満たしている催事を特定する対象催事特定手段と、
該対象催事特定手段にて特定した催事の来店状況情報を集計する来店状況情報集計手段と、
該来店状況情報集計手段による集計結果に基づいて、前記催事情報記憶手段に記憶されている当該催事の来店状況情報を更新する来店状況情報更新手段と、
前記催事関連情報に関する抽出条件を受付けるための抽出条件受付け手段と、
該抽出条件受付け手段にて受付けた抽出条件に合致する催事を前記催事情報記憶手段に記憶されている各催事から抽出する抽出手段と、
前記催事情報記憶手段に記憶されている該抽出手段にて抽出した催事の来店状況情報を出力する出力手段と、
を備えることを特徴としている。
この特徴によれば、前記抽出条件受付け手段にて抽出条件を指定することで、過去に開催した催事の中から指定した抽出条件に合致する催事が抽出されて、該抽出された催事の来店状況が前記出力手段に出力されるようになるため、新規の催事を検討する上で、有用な情報を簡便に把握することができる。
【手続補正６】
【補正対象書類名】明細書
【補正対象項目名】００６５
【補正方法】変更
【補正の内容】
【００６５】
前記実施例における各要素は、本発明に対して以下のように対応している。
本発明の請求項１は、遊技者を個々に特定可能な遊技者特定情報（会員ＩＤ）に対応付けて該遊技者に関する遊技者関連情報が記憶された遊技者関連情報記憶手段（記憶装置１２５；会員情報テーブル）と、催事対象者となる条件を含む催事関連情報を設定するための催事関連情報設定手段（ＣＰＵ１２２、イベント設定画面）と、少なくとも該催事関連情報設定手段（ＣＰＵ１２２、イベント設定画面）にて設定された催事関連情報および各催事における催事対象者の来店状況情報を各催事毎に記憶する催事情報記憶手段（記憶装置１２５；イベントテーブル、イベント別履歴テーブル）と、を有する管理装置（会員管理コンピュータ１２０）と、遊技機（パチンコ機２）に対応して設けられ、前記遊技者特定情報（会員ＩＤ）が記録された記録媒体（会員カード）を受付けて該遊技者特定情報の読み出しを行う読み出し手段（カードリーダライタ３２７）と、該読み出し手段（カードリーダライタ３２７）により読み出された前記遊技者特定情報（会員ＩＤ）を前記管理装置（会員管理コンピュータ１２０）に送信する送信手段（通信部３３４）とを備える遊技用装置（カードユニット３）と、から成る遊技用システムにおいて、前記管理装置（会員管理コンピュータ１２０）は、前記送信手段（通信部３３４）から送信されてきた前記遊技者特定情報（会員ＩＤ）と前記遊技者関連情報記憶手段（記憶装置１２５；会員情報テーブル）の記憶情報に基づいて、該遊技者が前記催事情報記憶手段（記憶装置１２５；イベントテーブル、イベント別履歴テーブル）に記憶されている催事対象条件を満たしている催事を特定する対象催事特定手段（ＣＰＵ１２２、処理プログラム）と、該対象催事特定手段（ＣＰＵ１２２、処理プログラム）にて特定した催事の来店状況情報を集計する来店状況情報集計手段（ＣＰＵ１２２、処理プログラム）と、該来店状況情報集計手段（ＣＰＵ１２２、処理プログラム）による集計結果に基づいて、前記催事情報記憶手段（記憶装置１２５；イベント別履歴テーブル）に記憶されている当該催事の来店状況情報を更新する来店状況情報更新手段（ＣＰＵ１２２、処理プログラム）と、前記催事関連情報に関する抽出条件を受付けるための抽出条件受付け手段（ＣＰＵ１２２、検索条件設定画面）と、該抽出条件受付け手段（ＣＰＵ１２２、検索条件設定画面）にて受付けた抽出条件に
合致する催事を前記催事情報記憶手段（記憶装置１２５；イベントテーブル）に記憶されている各催事から抽出する抽出手段（ＣＰＵ１２２、処理プログラム）と、前記催事情報記憶手段（記憶装置１２５；イベントテーブル、イベント別履歴テーブル）に記憶されている該抽出手段（ＣＰＵ１２２、処理プログラム）にて抽出した催事の来店状況情報を出力する出力手段（表示装置１２７）と、を備える。
【手続補正７】
【補正対象書類名】明細書
【補正対象項目名】００６９
【補正方法】変更
【補正の内容】
【００６９】
本発明の請求項５は、前記管理装置（会員管理コンピュータ１２０）は、前記送信手段（通信部３３４）から送信されてきた前記遊技者特定情報（会員ＩＤ）に基づいて、該遊技者特定情報（会員ＩＤ）に対応する遊技者の同一営業日における来店履歴を記憶するための来店履歴記憶手段（記憶装置１２５、会員遊技履歴テーブル）を備え、前記来店状況情報集計手段（ＣＰＵ１２２、処理プログラム）は、前記送信手段（通信部３３４）から送信されてきた前記遊技者特定情報（会員ＩＤ）に対応する遊技者の来店履歴が、前記来店履歴記憶手段（記憶装置１２５、会員遊技履歴テーブル）に既に存在するときには、来店状況情報の集計に該遊技者の来店を加えない。
本発明の請求項６は、遊技機に対応して設けられ、遊技者を個々に特定可能な遊技者特定情報が記録された記録媒体を受付けて該遊技者特定情報の読み出しを行う読み出し手段と、該読み出し手段により読み出された前記遊技者特定情報を前記管理装置に送信する送信手段とを備える遊技用装置とデータ通信可能に接続され、前記遊技者特定情報に対応付けて該遊技者に関する遊技者関連情報が記憶された遊技者関連情報記憶手段と、催事対象者となる条件を含む催事関連情報を設定するための催事関連情報設定手段と、少なくとも該催事関連情報設定手段にて設定された催事関連情報および各催事における催事対象者の来店状況情報を各催事毎に記憶する催事情報記憶手段と、を有する管理装置において、前記送信手段から送信されてきた前記遊技者特定情報と前記遊技者関連情報記憶手段の記憶情報に基づいて、該遊技者が前記催事情報記憶手段に記憶されている催事対象条件を満たしている催事を特定する対象催事特定手段と、該対象催事特定手段にて特定した催事の来店状況情報を集計する来店状況情報集計手段と、該来店状況情報集計手段による集計結果に基づいて、前記催事情報記憶手段に記憶されている当該催事の来店状況情報を更新する来店状況情報更新手段と、前記催事関連情報に関する抽出条件を受付けるための抽出条件受付け手段と、該抽出条件受付け手段にて受付けた抽出条件に合致する催事を前記催事情報記憶手段に記憶されている各催事から抽出する抽出手段と、前記催事情報記憶手段に記憶されている該抽出手段にて抽出した催事の来店状況情報を出力する出力手段と、を備える。
【手続補正８】
【補正対象書類名】明細書
【補正対象項目名】００８３
【補正方法】変更
【補正の内容】
【００８３】
（ｅ）請求項５の発明によれば、同一の遊技者が、同一営業日に複数回来店した場合であっても、２回目以降の来店においては、来店状況情報の集計に該２回目以降の来店が加算されないようになるため、正確な来店状況情報を集計できる。
（ｆ）請求項６の発明によれば、前記抽出条件受付け手段にて抽出条件を指定することで、過去に開催した催事の中から指定した抽出条件に合致する催事が抽出されて、該抽出された催事の来店状況が前記出力手段に出力されるようになるため、新規の催事を検討する上で、有用な情報を簡便に把握することができる。